(57)【要約】【課題】  接片の端部導電面がボディの背面に露出している構成の安価な幅狭コネクタや幅広コネクタに共用することのできるコネクタ固定パッド付き配線基板を安価に提供する。【解決手段】  接片３…の端部導電面３３を含む導電部列３４がボディ２の背面で露出している面実装型コネクタ１を搭載することに用いる。板面に、電極面列５２と、固定パッド列５６とが備わっている。固定パッド列５６の中間に位置している中間固定パッド５５ｂが、面実装された幅広コネクタ１Ｂの導電部列３４に含まれる端部導電面３３，３３に重ならない形のパッド要素５７，５７に分割されている。【選択図】        図１
2006041141.tif 000002
【特許請求の範囲】
【請求項１】
電気絶縁性ボディに等間隔に並んで収容されている複数の接片のそれぞれの端部導電面を含む導電部列がそのボディの背面で露出し、それぞれの上記接片に一体成形されて等間隔に並んだ複数の半田付け端子を含む端子列が上記ボディの前側に突出し、上記導電部列を挟む左右両側に位置する半田付け可能な一対の金属面が上記ボディに備わっている面実装型コネクタを搭載することに用いられ、かつ、板面に、上記コネクタの端子列を形成している個々の半田付け端子が個別に半田付けられる複数の電極面でなる電極面列と、上記コネクタの金属面が個別に半田付けされる３つの固定パッドでなる固定パッド列とが備わっていると共に、上記電極面列を形成している個々の電極面と上記固定パッド列を形成している３つの固定パッドとが、一対の上記金属面の相互間隔に広狭がある２種の上記コネクタに応じて使い分けられるようになっていて、上記固定パッド列の一端に位置する１つの固定パッドが、２種の上記コネクタの片側の金属面との半田付け接合に共用される共用パッドとして形成されているコネクタ固定パッド付き配線基板であって、
上記固定パッド列の一端側に位置する共用パッドとしての１つの固定パッドと上記固定パッド列の他端に位置する１つの固定パッドとの間に配備されている残りの固定パッドが、上記電極面列に含まれて相隣接している２つの同一幅を有する電極面の形成領域の後側に隣接して配備され、かつ、それらの２つの電極面の相互間隔と同一の間隔を隔てて配備されたパッド要素に２分割されていると共に、上記残りの固定パッドが、上記電極面列に含まれて相隣接している２つの同一幅を有する電極面の形成領域の幅と同一の幅を有し、
上記残りの固定パッドと上記共用パッドとしての１つの固定パッドとの間に、面実装された上記コネクタの導電部列に含まれる上記端部導電面が個別に重なり合ってそれらの端部導電面を半田付け可能な補助パッドが形成されていて、補助パッドの形状及び大きさが上記パッド要素の形状及び大きさと同一であることを特徴とするコネクタ固定パッド付き配線基板。
【請求項２】
電気絶縁性ボディに収容されている複数の接片のそれぞれの端部導電面を含む導電部列がそのボディの背面で露出し、それぞれの上記接片に電気的接続された複数の半田付け端子を含む端子列が上記ボディの前側に突出し、上記導電部列を挟む左右両側に位置する半田付け可能な一対の金属面が上記ボディに備わっている面実装型コネクタを搭載することに用いられ、かつ、板面に、上記コネクタの端子列を形成している個々の半田付け端子が個別に半田付けられる複数の電極面でなる電極面列と、上記コネクタの金属面が個別に半田付けされる３つ以上の固定パッドでなる固定パッド列とが備わっていると共に、上記電極面列を形成している個々の電極面と上記固定パッド列を形成している個々の固定パッドとが、一対の上記金属面の相互間隔に広狭がある異種の上記コネクタに応じて使い分けられるようになっていて、上記固定パッド列の一端に位置する１つの固定パッドが、異種の上記コネクタの片側の金属面との半田付け接合に共用される共用パッドとして形成されているコネクタ固定パッド付き配線基板であって、
上記固定パッド列の一端側に位置する共用パッドとしての１つの固定パッドと上記固定パッド列の他端に位置する１つの固定パッドとを除く他の固定パッドが、面実装された上記コネクタの導電部列に含まれる２つ以上の上記端部導電面に重ならない形の複数のパッド要素に分割されていることを特徴とするコネクタ固定パッド付き配線基板。
【請求項３】
異種の上記コネクタに、一対の上記金属面の相互間隔が狭い幅狭コネクタと、一対の上記金属面の相互間隔が広い幅広コネクタとが含まれ、上記固定パッド列を形成している固定パッドの数が３つであって、上記他の固定パッドが、上記電極面列に含まれて相隣接している２つの同一幅を有する電極面の形成領域の後側に隣接して配備され、かつ、それらの２つの電極面の相互間隔と同一の間隔を隔てて配備されたパッド要素に２分割されている請求項２に記載したコネクタ固定パッド付き配線基板。
【請求項４】
上記他の固定パッドが、上記電極面列に含まれて相隣接している２つの同一幅を有する電極面の形成領域の幅と同一の幅を有している請求項３に記載したコネクタ固定パッド付き配線基板。
【請求項５】
上記他の固定パッドと上記共用パッドとしての１つの固定パッドとの間に、面実装された上記コネクタの導電部列に含まれる上記端部導電面が個別に重なり合ってそれらの端部導電面を半田付け可能な補助パッドが形成されている請求項３又は請求項４に記載したコネクタ固定パッド付き配線基板。
【発明の詳細な説明】
【技術分野】
【０００１】
本発明は、コネクタ固定パッド付き配線基板、特に、面実装型コネクタに備わっている左右の金属面が半田付けによって固定される固定パッドを備えていて、しかも、極数の異なる２種類又はそれより多い種類のコネクタを選択して搭載可能なコネクタ固定パッド付き配線基板に関する。
【背景技術】
【０００２】
この種のコネクタ固定パッド付き配線基板５に搭載されたコネクタ１の基本構造を図３に示してあり、同図（Ａ）は面実装状態の部分正面図、同図（Ｂ）は（Ａ）のＩＩＩＢ−ＩＩＩＢ線に沿う概略断面図である。
【０００３】
このコネクタ１は、中空箱形の合成樹脂成形体でなる電気絶縁性のボディ２の内部に、複数の接片３…が横方向に等間隔で並んで位置決めされて収容されていて、ボディ２の開放された挿口２１からたとえばフレキシブル配線基板１００の端部を差し込むと、そのフレキシブル配線基板１００の回路が個々の接片３と電気的接続するようになっている。また、個々の接片３に一体成形されて等間隔を隔てて横方向に並んでいる複数の半田付け端子３１…を含む端子列３２がボディ２の前側に突出していると共に、等間隔を隔てて横方向に並んでいる個々の接片３の基端側の複数の端部導電面３３…を含む導電部列（図に現れていない）がボディ２の背面（上記挿口２１を形成している端面の反対側に位置する端面）２２で外部に露出している。このコネクタ１において、横に並んだ複数の半田付け端子３１…は、配線基板５の板面に横方向に等間隔を隔てて並んでいる複数の電極面５１…に各別に重ね合わされて半田付けされることにより配線基板５に面実装される。
【０００４】
また、図３（Ａ）のように、上記ボディ２の左右両側に突出部２３，２３が備わり、それらの突出部２３，２３に金属でなる固定用部材２４，２４が固着されていて、その固定用部材２４，２４の下面を形成している金属面２５，２５が、配線基板５の板面に形成されている左右の固定パッド５５，５５に各別に半田付け接合されるようになっていて、これらの金属面２５，２５と固定パッド５５，５５との接合によって、当該コネクタ１が配線基板５に固定されると共に、フレキシブル配線基板１００の重さや振動などによっても半田付け端子３１と電極面５１とが剥離しない程度の接合強度が確保されている。
【０００５】
図３で説明した構造を有するコネクタ１にあっては、極数などに応じて左右の金属面２５の相互間隔を異ならせたものが存在する。図４（Ａ）は狭い相互間隔Ａを隔てた金属面２５を左右に有するコネクタ（幅狭コネクタという）１Ａの概略底面図、同図（Ｂ）は広い相互間隔Ｂを隔てた金属面２５を左右に有するコネクタ（幅広コネクタという）１Ｂの概略底面図である。同図（Ａ）（Ｂ）に示した２種類のコネクタ１Ａ，１Ｂにおいて、ボディ２に収容されている複数の接片（図に現れていない）のそれぞれの端部導電面３３…を含む導電部列３４がそのボディ２の背面２２で露出し、複数の半田付け端子３１…を含む端子列３２がボディ２の側面から前側に突出し、導電部列３４を挟む左右両側に位置する半田付け可能な一対の金属面２５，２５がボディ２に備わっているという構造は共通している。
【０００６】
ところで、幅狭コネクタと幅広コネクタとの２種類のコネクタのうちの１つを、１枚の配線基板の板面の１箇所に定めたコネクタ搭載スペースに選択的に搭載することができるようにすることによって、１枚の配線基板をそれら２種類のコネクタに共用することが行なわれており、その場合に使用可能なコネクタは、従来、ボディの背面に接片の端部導電面が露出していないものに限られていて、図３や図４で説明したような端部導電面３３がボディ２の背面に露出している構造のコネクタに対して１枚の配線基板を共用することはできなかった。この点を図５（Ａ）（Ｂ）を参照して以下に説明する。
【０００７】
同図（Ａ）（Ｂ）に説明的に例示したように、配線基板５の板面には、幅広コネクタ１Ｂの半田付け端子３１…の数と同数の電極面５１…が横方向に並んだ電極面列５２と、その電極面列５２の後側で横方向に並んだ３つの固定パッド５５…でなる固定パッド列５６とが備わっていて、固定パッド列５６の一端に位置する１つの固定パッド５５が、幅狭コネクタ１Ａの片側の金属面２５との半田付け接合用と幅広コネクタ１Ｂの片側の金属面２５との半田付け接合用とに共用される共用パッド５５ａとして形成されている。したがって、幅狭コネクタ１Ａを搭載するときには、同図（Ａ）のように、その片側の金属面２５が共用パッド５５ａに重ね合わされて半田付け接合されるのに対し、他側の金属面２５が中間の固定パッド（中間固定パッド）５５ｂに重ね合わされて半田付け接合される。また、幅狭コネクタ１Ａの端子列３２を形成している個々の半田付け端子３１…は、共用パッド５５ａと中間固定パッド５５ｂとの間に配列されている電極面５１…に各別に重なり合って半田付けされる。これに対し、幅広コネクタＢを搭載するときには、同図（Ｂ）のように、その片側の金属面２５が共用パッド５５ａに重ね合わされて半田付け接合されるのに対し、他側の金属面２５が固定パッド列５６の他端に位置する１つの固定パッド５５ｃに重ね合わされて半田付け接合される。また、幅広コネクタ１Ｂの端子列３２を形成している個々の半田付け端子３１…は、共用パッド５５ａと他端の固定パッド５５ｃとの間に配列されている電極面５１…に各別に重なり合って半田付けされる。このため、同図（Ｂ）に示したように、幅広コネクタ１Ｂを搭載したときに、中間固定パッド５５ｂに、２つ又はそれより多い数の端部導電面３３が重なり状に接触してそれらの端部導電面３３を備えた接片３（図３（Ｂ）参照）同士が短絡（ショート）してしまうおそれがあり、そのために、端部導電面３３がボディ２の背面に露出している構造のコネクタに対して１枚の配線基板５を共用することはできなかった。
【０００８】
一方、コネクタのインシュレータの外壁面に形成した金属製被膜を、プリント基板の固定パッドに半田付けするようにした技術は従来より知られていた（たとえば特許文献１参照）。
【特許文献１】実開平６−８４６８０号公報
【発明の開示】
【発明が解決しようとする課題】
【０００９】
上述したように、１枚の配線基板を共用してその配線基板に搭載可能な幅広コネクタや幅狭コネクタは、ボディの背面に接片の端部導電面が露出していないものに限られている。しかしながら、そのようなコネクタは、接片の端部導電面を被覆する絶縁層をボディに具備させることが必要であることなどのために高価である。それに対し、図３で説明したコネクタ１と同様の基本構成を備えた図４の幅狭コネクタ１Ａや幅広コネクタ１Ｂは、接片３の端部導電面３３を被覆する絶縁層をボディに具備させる必要がないために安価に入手することが可能である。
【００１０】
そこで、本発明は、接片の端部導電面がボディの背面に露出している構成の安価な幅狭コネクタや幅広コネクタに共用することのできるコネクタ固定パッド付き配線基板を安価に提供することを目的とする。
【課題を解決するための手段】
【００１１】
本発明に係るコネクタ固定パッド付き配線基板は、電気絶縁性ボディに収容されている複数の接片のそれぞれの端部導電面を含む導電部列がそのボディの背面で露出し、それぞれの上記接片に電気的接続された複数の半田付け端子を含む端子列が上記ボディから前側に突出し、上記導電部列を挟む左右両側に位置する半田付け可能な一対の金属面が上記ボディに備わっている面実装型コネクタを搭載することに用いられる。また、板面に、上記コネクタの端子列を形成している個々の半田付け端子が個別に半田付けられる複数の電極面でなる電極面列と、上記コネクタの金属面が個別に半田付けされる３つ以上の固定パッドでなる固定パッド列とが備わっていると共に、上記電極面列を形成している個々の電極面と上記固定パッド列を形成している個々の固定パッドとが、一対の上記金属面の相互間隔に広狭がある異種の上記コネクタに応じて使い分けられるようになっていて、上記固定パッド列の一端に位置する１つの固定パッドが、異種の上記コネクタの片側の金属面との半田付け接合に共用される共用パッドとして形成されている。
【００１２】
そして、上記固定パッド列の一端側に位置する共用パッドとしての１つの固定パッドと上記固定パッド列の他端に位置する１つの固定パッドとを除く他の固定パッドが、面実装された上記コネクタの導電部列に含まれる２つ以上の上記端部導電面に重ならない形の複数のパッド要素に分割されている。
【００１３】
この構成のように、固定パッド列に含まれる上記他の固定パッドが、面実装されたコネクタの導電部列に含まれる２つ以上の端部導電面に重ならない形の複数のパッド要素に分割されていると、２つ又はそれより多い数の端部導電面が１つのパッド要素に重なり合ってそれらの端部導電面を備える接片同士が短絡するという事態が起こり得なくなる。したがって、左右の金属面の相互間隔が異なっていてボディの背面に端部導電面が露出している構造の安価な幅狭コネクタや幅広コネクタに共用することのできるコネクタ固定パッド付き配線基板を提供することが可能である。しかも、上記他の固定パッドを複数のパッド要素に分割しただけの構成であるので、そのようなコネクタ固定パッド付き配線基板を安価に提供することが可能になる。
【００１４】
本発明では、異種の上記コネクタに、一対の上記金属面の相互間隔が狭い幅狭コネクタと、一対の上記金属面の相互間隔が広い幅広コネクタとが含まれ、上記固定パッド列を形成している固定パッドの数が３つであって、上記他の固定パッドが、上記電極面列に含まれて相隣接している２つの同一幅を有する電極面の形成領域の後側に隣接して配備され、かつ、それらの２つの電極面の相互間隔と同一の間隔を隔てて配備されたパッド要素に２分割されている、という構成を採用することが可能である。この構成であると、図３又は図４（Ｂ）で説明したように平坦な板片状の接片３の端縁によって前後方向でまっすぐな端部導電面３３が形成されている構成の幅広コネクタ１Ｂを搭載する場合に、相隣接する２つの端部導電面３３が２分割された２つのパッド要素に各別に重なり合うために、それらの端部導電面３３を備えた接片３同士が短絡するという事態が起こらない。また、同図（Ａ）の幅狭コネクタ１Ａを搭載する場合には、片側の金属面が共用パッドに半田付け接合された幅狭コネクタの他側の金属面が、２つのパッド要素に２分割された他の固定パッドに跨がってそれらのパッド要素に半田付け接合されるので、他側の金属面と上記他の固定パッド（２分割された固定パッド）との接合強度も十分な大きさに確保される。
【００１５】
本発明では、上記他の固定パッドが、上記電極面列に含まれて相隣接している２つの同一幅を有する電極面の形成領域の幅と同一の幅を有している、という構成を採用することが可能であり、これによれば、図４（Ｂ）の幅広コネクタ１Ｂを搭載する場合に、上記他の固定パッド（２分割された固定パッド）に重なり合う２つの端部導電面３３を挟む両側に位置する端部導電面が、その固定パッドに接触して接片が短絡するという事態が起こらない。
【００１６】
本発明では、上記他の固定パッドと上記共用パッドとしての１つの固定パッドとの間に、面実装された上記コネクタの導電部列に含まれる上記端部導電面が個別に重なり合ってそれらの端部導電面を半田付け可能な補助パッドが形成されている、という構成を採用することが可能である。これによれば、補助パッドに端部導電面を半田付けしておくことによって、その補助パッドと端部導電面との接合強度が、金属面と固定パッドとの接合強度に付加される。そのため、幅狭コネクタの他側の金属面が２つのパッド要素に２分割された上記他の固定パッドに接合されるために、その固定パッドに対する金属面の接合強度が幾分かは低下するとしても、そのような接合強度の低下が補助パッドと端部導電面との接合力によって補足されて全体として十分に大きな接合強度が得られるようになる。
【００１７】
本発明に係るコネクタ固定パッド付き配線基板は、電気絶縁性ボディに等間隔に並んで収容されている複数の接片のそれぞれの端部導電面を含む導電部列がそのボディの背面で露出し、それぞれの上記接片に一体成形されて等間隔に並んだ複数の半田付け端子を含む端子列が上記ボディの側面から前側に突出し、上記導電部列を挟む左右両側に位置する半田付け可能な一対の金属面が上記ボディに備わっている面実装型コネクタを搭載することに用いられ、かつ、板面に、上記コネクタの端子列を形成している個々の半田付け端子が個別に半田付けられる複数の電極面でなる電極面列と、上記コネクタの金属面が個別に半田付けされる３つの固定パッドでなる固定パッド列とが備わっていると共に、上記電極面列を形成している個々の電極面と上記固定パッド列を形成している３つの固定パッドとが、一対の上記金属面の相互間隔に広狭がある２種の上記コネクタに応じて使い分けられるようになっていて、上記固定パッド列の一端に位置する１つの固定パッドが、２種の上記コネクタの片側の金属面との半田付け接合に共用される共用パッドとして形成されているコネクタ固定パッド付き配線基板であって、上記固定パッド列の一端側に位置する共用パッドとしての１つの固定パッドと上記固定パッド列の他端に位置する１つの固定パッドとの間に配備されている残りの固定パッドが、上記電極面列に含まれて相隣接している２つの同一幅を有する電極面の形成領域の後側に隣接して配備され、かつ、それらの２つの電極面の相互間隔と同一の間隔を隔てて配備されたパッド要素に２分割されていると共に、上記残り固定パッドが、上記電極面列に含まれて相隣接している２つの同一幅を有する電極面の形成領域の幅と同一の幅を有し、上記残りの固定パッドと上記共用パッドとしての１つの固定パッドとの間に、面実装された上記コネクタの導電部列に含まれる上記端部導電面が個別に重なり合ってそれらの端部導電面を半田付け可能な補助パッドが形成されていて、補助パッドの形状及び大きさが上記パッド要素の形状及び大きさと同一である、という構成を採用することができる。
【００１８】
これによれば、幅狭コネクタと幅広コネクタとの２種類のコネクタを、当該配線基板のコネクタ搭載スペースに選択的に搭載することが何ら不都合なく可能になる。そのため、１枚の配線基板をそれら２種類のコネクタに共用することが可能になるだけでなく、２種類のコネクタとして安価なコネクタを採用することができるという利点がある。
【００１９】
上記した各発明の作用は、後述する実施形態を参照してさらに詳細に説明することとする。
【発明の効果】
【００２０】
以上のように、本発明によれば、接片の端部導電面がボディの背面に露出している構成の安価な幅狭コネクタや幅広コネクタに共用することのできるコネクタ固定パッド付き配線基板を安価に提供することが可能になる。また、幅狭コネクタと幅広コネクタとの２種類のコネクタに限定されず、左右の金属面の相互間隔が互いに異なる２種類より多い種類のコネクタに共用することのできるコネクタ固定パッド付き配線基板を安価に提供することも可能になる。したがって、ＤＶＤドライブなどの電気電子機器の配線基板を、異種の機器に対して共通化した上で、その配線基板に異種の安価なコネクタを使い分けて搭載することができるようになって電子電気機器を安価に提供することが可能になる。
【発明を実施するための最良の形態】
【００２１】
図１（Ａ）は本発明の実施形態に係る配線基板５に幅狭コネクタ１Ａを搭載した場合の説明図、同（Ｂ）は本発明の実施形態に係る配線基板５に幅広コネクタ１Ｂを搭載した場合の説明図である。また、図２は他の実施形態に係る配線基板５に幅狭コネクタ１Ａを搭載した場合の説明図である。
【００２２】
図１（Ａ）（Ｂ）に示した配線基板５において、図５（Ａ）（Ｂ）に示した配線基板５と異なる点は、中間固定パッド（他の固定パッド）５５ｂの構成だけであり、その他の点は同様であるので、同一又は相応する部分に同一符号を付して説明の重複を避けることにする。
【００２３】
この実施形態の配線基板５において、中間固定パッド５５ｂは、電極面列５２に含まれて所定の位置で相隣接している２つの同一幅ａ，ａを有する電極面３１，３１の形成領域の後側に隣接して配備されていて、それらの２つの電極面３１，３１の相互間隔ｂと同一の間隔ｂ’を隔てて配備された２つのパッド要素５７，５７に２分割されている。さらに、２つのパッド要素５７，５７が、それら２つの電極面３１，３１の個々の幅ａ，ａと同一の幅ａ’，ａ’を有し、それら２つの電極面３１の形成領域の幅Ｗと同一の幅Ｗ’を有している。
【００２４】
この配線基板５に幅狭コネクタ１Ａを搭載するときには、図１（Ａ）のように、その片側の金属面２５が共用パッド５５ａに重ね合わされて半田付け接合されるのに対し、他側の金属面２５が中間固定パッド５５ｂに重ね合わされて半田付け接合される。また、幅狭コネクタ１Ａの端子列３２を形成している個々の半田付け端子３１は、共用パッド５５ａと中間固定パッド５５ｂとの間に配列されている所定数の電極面５１…に個別に重なり合って半田付けされる。この場合、片側の金属面２５が共用パッド５５ａに半田付け接合された幅狭コネクタ１Ａの他側の金属面２５が、２つのパッド要素５７，５７に２分割された中間固定パッド５５ｂに跨がってそれらのパッド要素５７，５７に半田付け接合されるので、他側の金属面２５と中間固定パッド５５ｂとの接合強度は十分な大きさに確保されるようになり、フレキシブル配線基板や振動などによって半田付け端子３１…と電極面５１…との接合箇所が剥離するといったような不都合は起こらない。
【００２５】
これに対し、幅広コネクタ１Ｂを搭載するときには、図１（Ｂ）のように、片側の金属面２５が共用パッド５５ａに重ね合わされて半田付け接合されるのに対し、他側の金属面２５が固定パッド列５６の他端に位置する１つの固定パッド５５ｃに重ね合わされて半田付け接合される。また、幅広コネクタ１Ｂの端子列３２を形成している個々の半田付け端子３１…は、共用パッド５５ａと他端の固定パッド５５ｃとの間に配列されている電極面５１…に重なり合って半田付けされる。そして、中間固定パッド５５ｂを形成している２つのパッド要素５７，５７には、相隣接する２つの端部導電面３３，３３が各別に重なり合うので、パッド要素５７，５７に端部導電面３３，３３が接触しているとしても、それらの端部導電面３３，３３を備えた接片３（図３（Ｂ）参照）同士が短絡するという事態は起こり得ない。
【００２６】
この実施形態のように、２つのパッド要素５７，５７に分割されている中間固定パッド５５ｂに幅狭コネクタ１Ａの金属面２５を半田付け接合した場合、図５（Ａ）で説明したような分割されていない中間固定パッド５５ｂに金属面２５を半田付け接合したものに比べると、接合面積がわずかに減少してそれだけ接合強度が低下することになるけれども、その接合強度の低下は無視できるほどに小さいので配線基板５によるコネクタ保持力が不足してしまうという事態は起こらない。しかし、その接合強度の低下分を補うことは、接合信頼性を高めるために有益である。
【００２７】
図２はこの点を勘案した実施形態を示している。この実施形態では、中間固定パッド５５ｂと共用パッド５５ａとの間に、面実装された幅狭コネクタ１Ａの導電部列３４に含まれる端部導電面３３…が個別に重なり合ってそれらの端部導電面３３…が半田付けされた補助パッド５８…が形成されている。補助パッド５８の形状及び大きさは上記パッド要素５７の形状及び大きさと同一である。
【００２８】
これによれば、補助パッド５８…と端部導電面３３…との半田付けによる接合強度が、金属面２５，２５と固定パッド５５，５５との接合強度に付加される。そのため、幅狭コネクタ１Ａの他側の金属面２５が２つのパッド要素５７，５７に２分割された中間固定パッド５５ｂに接合されてその中間固定パッド５５ｂに対する金属面２５の接合強度が幾分かは低下しているとしても、そのような接合強度の低下が補助パッド５８…と端部導電面３３…との接合力により補足されて全体として十分に大きな接合強度が得られて接合信頼性が高まる。なお、一部の補助パッド５８とそれに重なり合う端部導電面３３だけを半田付け接合した場合でも同様に接合信頼性が高まる。
【００２９】
図１又は図２で説明した配線基板５は、幅狭コネクタ１Ａと幅広コネクタ１Ｂの２種類のコネクタに共用することが可能であるけれども、固定パッドを追加することによって２種類より多い種類の異種のコネクタにも共用することができるようになる。
【００３０】
また、固定パッド列に含まれる共用パッドと他端の固定パッドとの間に配備されている他の固定パッドを分割して得られるパッド要素の形状は、図１や図２に示したような矩形に限定されない。すなわち、面実装されたコネクタの導電部列に含まれる２つ以上の上記端部導電面に重ならない形であれば、どのような形であってもよい。
【図面の簡単な説明】
【００３１】
【図１】（Ａ）は本発明の実施形態に係る配線基板に幅狭コネクタを搭載した場合の説明図、（Ｂ）は同配線基板に幅広コネクタを搭載した場合の説明図である。
【図２】他の実施形態に係る配線基板に幅狭コネクタを搭載した場合の説明図である。
【図３】（Ａ）は面実装されたコネクタの部分正面図、（Ｂ）は（Ａ）のＩＩＩＢ−ＩＩＩＢ線に沿う概略断面図である。
【図４】（Ａ）は幅狭コネクタの概略底面図、（Ｂ）は幅広コネクタの概略底面図である。
【図５】端部導電面が露出している幅狭コネクタを配線基板に搭載した場合の説明図、（Ｂ）は端部導電面が露出している幅広コネクタを配線基板に搭載した場合の説明図である。
【符号の説明】
【００３２】
１  コネクタ
２  ボディ
３  接片
５  配線基板
２２  ボディの背面
２５  金属面
３１  半田付け端子
３２  端子列
３３  端部導電面
３４  導電部列
５１  電極面
５２  電極面列
５５  固定パッド
５５ａ  共用パッド
５５ｂ  中間固定パッド
５５ｃ  固定パッド列の他端に位置する１つの固定パッド
５６  固定パッド列
５７  パッド要素
５８  補助パッド
ａ  電極面の幅
ａ’  パッド要素の幅
ｂ  電極面の相互間隔
ｂ’  パッド要素の相互間隔
Ｗ  電極面の形成領域の幅
Ｗ’  中間固定パッドの幅
【図１】
2006041141.tif 000003
【図２】
2006041141.tif 000004
【図３】
2006041141.tif 000005
【図４】
2006041141.tif 000006
【図５】
2006041141.tif 000007